(57)【要約】【課題】実際のネットワーク環境に応じてリモートＧＵＩ制御の方式を切り替えることが可能な利用帯域決定装置及び方法を提供する。【解決手段】被試験対象１００に対する試験信号を生成し、当該試験信号が入力された被試験対象１００からの出力信号に対して測定を実行する測定部１２と、測定部１２の測定結果を含む表示内容を表示する表示部１３と、入力操作を行うための入力部１５と、ネットワーク１１０を介して外部制御装置３０とデータの送受信を行う通信部１６と、を備え、表示部１３の表示内容と入力部１５の少なくとも一部がＧＵＩで構成され、前記データがＧＵＩの画像データを含む測定装置１０について、測定装置１０が利用可能なネットワーク１１０の帯域幅を推定する帯域幅推定部１８と、推定された帯域幅に基づいて、通信部１６から送信されるデータの送信量を制御する送信量制御部１９と、を備える。【選択図】図１
2016163050.tif 000002
【特許請求の範囲】
【請求項１】
ネットワーク環境における利用可能な帯域幅を決定する利用帯域決定装置（１）であって、
被試験対象（１００）に対する試験信号を生成し、当該試験信号が入力された当該被試験対象からの出力信号に対して測定を実行する測定部（１２）と、前記測定部の測定結果を含む表示内容を表示する第１表示部（１３）と、入力操作を行うための入力部（１５）と、ネットワーク（１１０）を介して外部制御装置（３０）とデータの送受信を行う第１通信部（１６）と、を備え、前記第１表示部の表示内容と前記入力部の少なくとも一部がグラフィカル・ユーザ・インタフェース（ＧＵＩ）で構成され、前記データが前記ＧＵＩの画像データ及び前記測定結果を含む測定装置（１０）について、
前記測定装置が利用可能な前記ネットワークの帯域幅を推定する帯域幅推定部（１８）と、
前記帯域幅推定部によって推定された前記帯域幅に基づいて、前記第１通信部から送信される前記データの送信量を制御する送信量制御部（１９）と、を備えることを特徴とする利用帯域決定装置。
【請求項２】
前記送信量制御部は、前記測定部による測定開始時及び測定中に前記送信量を制御することを特徴とする請求項１に記載の利用帯域決定装置。
【請求項３】
前記外部制御装置は、
前記ネットワークを介して前記第１通信部と前記データを送受信する第２通信部（３６）と、
前記第２通信部によって受信された前記ＧＵＩの画像データ及び前記測定結果を表示する第２表示部（３３）と、を有することを特徴とする請求項１又は請求項２に記載の利用帯域決定装置。
【請求項４】
前記外部制御装置は、
前記帯域幅を推定するためのテストパケットを前記第１通信部に送信するテストパケット送信部（３１）と、
前記テストパケット送信部が前記第１通信部に前記テストパケットを送信してから、該テストパケットに対応する前記第１通信部からの確認応答を前記第２通信部が受け取るまでの往復遅延時間を取得する往復遅延時間取得部（３２）と、を更に有し、
前記帯域幅推定部は、前記往復遅延時間に基づいて前記帯域幅を推定することを特徴とする請求項３に記載の利用帯域決定装置。
【請求項５】
前記帯域幅を推定するためのテストパケットを前記第２通信部に送信するテストパケット送信部（３１）と、
前記テストパケット送信部が前記第２通信部に前記テストパケットを送信してから、該テストパケットに対応する前記第２通信部からの確認応答を前記第１通信部が受け取るまでの往復遅延時間を取得する往復遅延時間取得部（３２）と、を更に備え、
前記帯域幅推定部は、前記往復遅延時間に基づいて前記帯域幅を推定することを特徴とする請求項３に記載の利用帯域決定装置。
【請求項６】
前記送信量制御部は、前記往復遅延時間があらかじめ定められた閾値以上であることを条件として、前記送信量を減少させることを特徴とする請求項４又は請求項５に記載の利用帯域決定装置。
【請求項７】
前記送信量制御部は、前記往復遅延時間があらかじめ定められた閾値未満であることを条件として、前記送信量を増加させることを特徴とする請求項４から請求項６のいずれか一項に記載の利用帯域決定装置。
【請求項８】
前記第２表示部は、前記往復遅延時間があらかじめ定められた閾値以上であることを条件として、警告メッセージを表示することを特徴とする請求項４から請求項７のいずれか一項に記載の利用帯域決定装置。
【請求項９】
ネットワーク環境における利用可能な帯域幅を決定する利用帯域決定方法であって、
被試験対象（１００）に対する試験信号を生成し、当該試験信号が入力された当該被試験対象からの出力信号に対して測定を実行する測定部（１２）と、前記測定部の測定結果を含む表示内容を表示する第１表示部（１３）と、入力操作を行うための入力部（１５）と、ネットワーク（１１０）を介して外部制御装置（３０）とデータの送受信を行う第１通信部（１６）と、を備え、前記第１表示部の表示内容と前記入力部の少なくとも一部がグラフィカル・ユーザ・インタフェース（ＧＵＩ）で構成され、前記データが前記ＧＵＩの画像データ及び前記測定結果を含む測定装置（１０）について、
前記測定装置が利用可能な前記ネットワークの帯域幅を推定する帯域幅推定ステップ（Ｓ１４）と、
前記帯域幅推定ステップによって推定された前記帯域幅に基づいて、前記第１通信部から送信される前記データの送信量を制御する送信量制御ステップ（Ｓ１６，Ｓ１８）と、を含むことを特徴とする利用帯域決定方法。
【発明の詳細な説明】
【技術分野】
【０００１】
本発明は、利用帯域決定装置及び方法に関する。
【背景技術】
【０００２】
近年、マルチメディア通信の普及や利用者数の増加、さらには通信技術の発達に伴い、多数の通信規格が策定されている。このため、多数の通信規格に対応し、通信ネットワークを構成する各種機器の性能や、通信ネットワーク内を伝送される信号の品質を測定することが可能な測定装置が求められている（例えば、特許文献１参照）。
【０００３】
特許文献１に開示された測定装置は、試験対象が送信するテストフレームを受信して解析し、例えば、スループット又はレイテンシの測定を行う。さらに、この測定装置は、テストフレームを試験対象に送信してから返送されるまでの遅延時間の測定を行う。
【０００４】
更に多様な測定試験を実行するために、従来の測定装置は、例えばパルスパターン発生器、誤り率検出器、スペクトラムアナライザなどの複数の測定機能を備えていることが多い。
【０００５】
このような従来の測定装置は、通信ネットワーク上に配置されることにより、同じく通信ネットワーク上に配置された外部制御装置によるコマンドベースのリモート制御（以下、「リモートコマンド制御」ともいう）で動作可能となっている。
【０００６】
また、従来より、複数のネットワークをリモート管理するシステムが知られている（例えば、特許文献２参照）。特許文献２に開示されたシステムは、コマンドベースのリモート制御を行っており、管理されているネットワーク又はシステムの所有者がトポロジー特徴又は要素を変更する必要なく、単一の共通のインフラストラクチャーから複数の異種ネットワークを管理しサービスするものである。
【先行技術文献】
【特許文献】
【０００７】
【特許文献１】特開２０１１−１７６５６２号公報
【特許文献２】特表２０１１−５３０２２３号公報
【発明の概要】
【発明が解決しようとする課題】
【０００８】
近年、従来のリモートコマンド制御よりも高いレベルのネットワーク環境が求められる、グラフィカル・ユーザ・インタフェース（Graphical User Interface：ＧＵＩ）ベースのリモート制御（以下、「リモートＧＵＩ制御」ともいう）が要求されてきている。
【０００９】
しかしながら、特許文献１に開示されたような従来の測定装置を特許文献２に開示されたような従来のシステムでリモート管理する構成では、リモートＧＵＩ制御を実行しようとしても、ネットワーク環境が悪い場合には、制御不能に陥ったり、測定試験が失敗したりするという恐れがあった。
【００１０】
本発明は、このような従来の課題を解決するためになされたものであって、実際のネットワーク環境に応じてリモートＧＵＩ制御の方式を切り替えることが可能な利用帯域決定装置及び方法を提供することを目的とする。
【課題を解決するための手段】
【００１１】
上記課題を解決するために、本発明の請求項１の利用帯域決定装置は、ネットワーク環境における利用可能な帯域幅を決定する利用帯域決定装置であって、被試験対象に対する試験信号を生成し、当該試験信号が入力された当該被試験対象からの出力信号に対して測定を実行する測定部と、前記測定部の測定結果を含む表示内容を表示する第１表示部と、入力操作を行うための入力部と、ネットワークを介して外部制御装置とデータの送受信を行う第１通信部と、を備え、前記第１表示部の表示内容と前記入力部の少なくとも一部がグラフィカル・ユーザ・インタフェース（ＧＵＩ）で構成され、前記データが前記ＧＵＩの画像データ及び前記測定結果を含む測定装置について、前記測定装置が利用可能な前記ネットワークの帯域幅を推定する帯域幅推定部と、前記帯域幅推定部によって推定された前記帯域幅に基づいて、前記第１通信部から送信される前記データの送信量を制御する送信量制御部と、を備えることを特徴とする。
【００１２】
また、本発明の請求項２の利用帯域決定装置においては、前記送信量制御部は、前記測定部による測定開始時及び測定中に前記送信量を制御することを特徴とする。
【００１３】
また、本発明の請求項３の利用帯域決定装置においては、前記外部制御装置は、前記ネットワークを介して前記第１通信部と前記データを送受信する第２通信部と、前記第２通信部によって受信された前記ＧＵＩの画像データ及び前記測定結果を表示する第２表示部と、を有することを特徴とする。
【００１４】
また、本発明の請求項４の利用帯域決定装置においては、前記外部制御装置は、前記帯域幅を推定するためのテストパケットを前記第１通信部に送信するテストパケット送信部と、前記テストパケット送信部が前記第１通信部に前記テストパケットを送信してから、該テストパケットに対応する前記第１通信部からの確認応答を前記第２通信部が受け取るまでの往復遅延時間を取得する往復遅延時間取得部と、を更に有し、前記帯域幅推定部は、前記往復遅延時間に基づいて前記帯域幅を推定することを特徴とする。
【００１５】
また、本発明の請求項５の利用帯域決定装置は、前記帯域幅を推定するためのテストパケットを前記第２通信部に送信するテストパケット送信部と、前記テストパケット送信部が前記第２通信部に前記テストパケットを送信してから、該テストパケットに対応する前記第２通信部からの確認応答を前記第１通信部が受け取るまでの往復遅延時間を取得する往復遅延時間取得部と、を更に備え、前記帯域幅推定部は、前記往復遅延時間に基づいて前記帯域幅を推定することを特徴とする。
【００１６】
また、本発明の請求項６の利用帯域決定装置においては、前記送信量制御部は、前記往復遅延時間があらかじめ定められた閾値以上であることを条件として、前記送信量を減少させることを特徴とする。
【００１７】
また、本発明の請求項７の利用帯域決定装置においては、前記送信量制御部は、前記往復遅延時間があらかじめ定められた閾値未満であることを条件として、前記送信量を増加させることを特徴とする。
【００１８】
また、本発明の請求項８の利用帯域決定装置においては、前記第２表示部は、前記往復遅延時間があらかじめ定められた閾値以上であることを条件として、警告メッセージを表示することを特徴とする。
【００１９】
また、本発明の請求項９の利用帯域決定方法は、ネットワーク環境における利用可能な帯域幅を決定する利用帯域決定方法であって、被試験対象に対する試験信号を生成し、当該試験信号が入力された当該被試験対象からの出力信号に対して測定を実行する測定部と、前記測定部の測定結果を含む表示内容を表示する第１表示部と、入力操作を行うための入力部と、ネットワークを介して外部制御装置とデータの送受信を行う第１通信部と、を備え、前記第１表示部の表示内容と前記入力部の少なくとも一部がグラフィカル・ユーザ・インタフェース（ＧＵＩ）で構成され、前記データが前記ＧＵＩの画像データ及び前記測定結果を含む測定装置について、前記測定装置が利用可能な前記ネットワークの帯域幅を推定する帯域幅推定ステップと、前記帯域幅推定ステップによって推定された前記帯域幅に基づいて、前記第１通信部から送信される前記データの送信量を制御する送信量制御ステップと、を含むことを特徴とする。
【発明の効果】
【００２０】
本発明は、実際のネットワーク環境に応じてリモートＧＵＩ制御の方式を切り替えることが可能な利用帯域決定装置及び方法を提供する。
【図面の簡単な説明】
【００２１】
【図１】本発明の実施形態としての利用帯域決定装置を備える測定装置の構成を示すブロック図である。
【図２】本発明の実施形態としての利用帯域決定装置を備える測定装置をリモート制御する外部制御装置の構成を示すブロック図である。
【図３】本発明の実施形態としての利用帯域決定装置を備える測定装置、又は、外部制御装置の表示例（その１）である。
【図４】本発明の実施形態としての利用帯域決定装置を備える測定装置、又は、外部制御装置の表示例（その２）である。
【図５】本発明の実施形態としての利用帯域決定装置による利用帯域決定方法を説明するフローチャートである。
【図６】本発明の実施形態としての利用帯域決定装置を備える測定装置、又は、外部制御装置の表示例（その３）である。
【図７】本発明の実施形態としての利用帯域決定装置による利用帯域決定処理の詳細の一例を説明するフローチャートである。
【図８】本発明の実施形態としての利用帯域決定装置による利用帯域決定処理の詳細の他の例を説明するフローチャートである。
【図９】本発明の実施形態としての利用帯域決定装置の要部の構成を示すブロック図である。
【発明を実施するための形態】
【００２２】
以下、本発明に係る利用帯域決定装置及び方法の実施形態について、図面を用いて説明する。
【００２３】
図１に示すように、本発明の実施形態としての利用帯域決定装置１は、被試験対象１００に対して各種測定を行う測定装置１０に備えられ、ネットワーク環境において利用可能な帯域（幅）を推定し、実際に使用する帯域（幅）を決定するものである。
【００２４】
測定装置１０は、利用帯域決定装置１、入出力部１１、測定部１２、表示部１３、表示制御部１４、入力部１５、通信部１６、及び制御部１７を備えている。測定装置１０は、例えばインターネット、ＬＡＮ、ＷＬＡＮなどのネットワーク１１０を介して外部制御装置３０と有線又は無線接続され、外部制御装置３０との間でデータの送受信を行うことができるようになっている。
【００２５】
被試験対象１００は、例えばルータ、スイッチングハブ、伝送装置などのネットワーク機器、あるいは、携帯電話などの無線端末機器である。
【００２６】
測定部１２は、信号生成部１２ａ及び信号解析部１２ｂを含み、被試験対象１００に対して測定を実行する。信号生成部１２ａは、後述する測定パラメータ設定領域４６で設定された測定パラメータに対応した試験信号としてのフレーム又はパケットを生成し、当該試験信号を入出力部１１を介して被試験対象１００に送信するようになっている。
【００２７】
信号解析部１２ｂは、信号生成部１２ａから出力された出力信号（被測定信号）としてのフレーム又はパケットを入出力部１１を介して被試験対象１００から受信し、当該被測定信号から、後述する測定項目選択窓４５で設定された測定項目に対応した受信状態情報を抽出して、それらを解析するようになっている。
【００２８】
入出力部１１は、イーサネット（登録商標）などのＩＰネットワークを通じて、測定装置１０と被試験対象１００との間で試験信号や被試験対象１００からの被測定信号を光信号又は電気信号に変換して送受信するようになっている。また、入出力部１１は、例えば同軸ケーブルにより被試験対象１００と測定装置１０とを接続するための端子を有していてもよい。
【００２９】
表示部１３は、例えばＬＣＤやＣＲＴなどの表示機器で構成され、表示制御部１４からの制御信号に応じて各種表示内容を表示するようになっている。この表示内容には、測定部１２による測定結果や、測定条件などを設定するためのソフトキー、プルダウンメニュー、テキストボックスなどの操作対象が含まれる。
【００３０】
入力部１５は、例えばテンキーや各種設定キーを備えたキーボードやマウスなどの入力装置や、表示部１３の表面に設けられたタッチパネルのような入力装置や、リモートコマンド制御やリモートＧＵＩ制御によって測定装置１０の遠隔制御を行う外部制御装置３０で構成される。入力部１５による入力操作は、制御部１７により検知されるようになっている。表示部１３の表示内容と入力部１５の少なくとも一部はＧＵＩで構成される。
【００３１】
通信部１６は、ネットワーク１１０を介して測定装置１０をリモート制御する外部制御装置３０との間で、ＧＵＩの画像データ（以下、「ＧＵＩデータ」ともいう）、及び、測定装置１０による測定結果のデータ（以下、「測定データ」ともいう）を含むデータや、制御信号の送受信を行うようになっている。
【００３２】
通信部１６は、例えば、イーサネット（登録商標）、ＷＬＡＮ、Ｂｌｕｅｔｏｏｔｈ（登録商標）などの有線用又は無線用の通信用インタフェースで構成され、ネットワーク１１０を介して後述する外部制御装置３０の通信部３６と通信を行う。
【００３３】
制御部１７は、例えばＣＰＵ、ＲＯＭ、ＲＡＭなどを含むマイクロコンピュータで構成され、測定装置１０を構成する各部の駆動制御を行うようになっている。また、制御部１７は、ユーザが入力部１５を操作して設定する後述の測定項目に基づき、当該測定項目に対応する測定を測定部１２に行わせるための制御信号を、測定部１２に出力するようになっている。
【００３４】
また、制御部１７は、外部制御装置３０においてリモートコマンド制御又はリモートＧＵＩ制御が行われたとき、その制御内容に従って測定部１２に被試験対象１００に対する測定を行わせるようになっている。また、制御部１７は、測定部１２による測定データや、後述の利用帯域決定装置１による利用帯域決定処理の結果のログを保存するようになっている。
【００３５】
図２に示すように、外部制御装置３０は、例えば、外部のネットワーク１１０と接続可能なパーソナルコンピュータなどの端末機器であって、テストパケット送信部３１、往復遅延時間取得部３２、表示部３３、表示制御部３４、入力部３５、通信部３６、及び制御部３７を有する。表示部３３、入力部３５、通信部３６、及び制御部３７の基本的な構成は、測定装置１０が有する表示部１３、入力部１５、通信部１６、及び制御部１７と同様である。
【００３６】
通信部３６は、ネットワーク１１０を介して、測定装置１０の通信部１６との間でＧＵＩデータ及び測定データを含むデータを送受信するようになっている。
【００３７】
テストパケット送信部３１は、ネットワーク１１０の利用可能な帯域幅を推定するために、ｐｉｎｇのパケットをテストパケットとして測定装置１０の通信部１６に送信するようになっている。
【００３８】
往復遅延時間取得部３２は、テストパケット送信部３１が測定装置１０の通信部１６にテストパケットを送信してから、該テストパケットに対応する通信部１６からの確認応答を通信部３６が受け取るまでの往復遅延時間（Round-Trip Time：ＲＴＴ）を取得するようになっている。
【００３９】
表示部３３は、表示制御部３４からの制御信号に応じて、通信部３６によって受信されたＧＵＩデータ及び測定データを表示するようになっている。これにより、表示部３３は、測定装置１０の表示部１３の表示内容とほぼ同様の内容を表示することが可能である。
【００４０】
制御部３７は、外部制御装置３０を構成する各部の駆動制御を行うようになっている。また、制御部３７は、ユーザが入力部３５を操作して設定する後述の測定項目に基づき、当該測定項目に対応する測定を測定装置１０の測定部１２に行わせるための制御信号を、測定装置１０の制御部１７に出力するようになっている。
【００４１】
以下、本実施形態の利用帯域決定装置１の構成について説明する。利用帯域決定装置１は、帯域幅推定部１８及び送信量制御部１９を有する。帯域幅推定部１８は、例えば外部制御装置３０の往復遅延時間取得部３２によって取得されたＲＴＴに基づいて、測定装置１０が利用可能なネットワーク１１０の帯域幅を推定するようになっている。例えば、帯域幅推定部１８は、ＲＴＴがあらかじめ定められた閾値以上であるか否かを判断することにより、ネットワーク１１０の帯域幅を推定する。
【００４２】
あるいは、帯域幅推定部１８は、ＲＴＴの値と帯域幅との関係をあらかじめテーブルとして記憶しており、実際に往復遅延時間取得部３２によって取得されたＲＴＴに対して、当該テーブルを参照してネットワーク１１０の帯域幅を推定するものであってもよい。
【００４３】
あるいは、帯域幅推定部１８は、ネットワーク１１０に負荷を掛ける試験を行うことにより、ネットワーク１１０の帯域幅を推定するものであってもよい。
【００４４】
さらに、帯域幅推定部１８は、ＲＴＴがあらかじめ定められた閾値以上である場合には、ネットワーク１１０の利用可能な帯域幅が狭くなっている旨の警告メッセージを外部制御装置３０の表示部３３に表示させるようになっていてもよい。
【００４５】
送信量制御部１９は、帯域幅推定部１８によって推定された帯域幅に基づいて、測定装置１０の測定部１２による測定開始時及び測定中に、通信部１６から送信されるデータの単位時間当たりの送信量を動的に制御するようになっている。
【００４６】
例えば、送信量制御部１９は、ＲＴＴがあらかじめ定められた閾値以上であることを条件として、通信部１６から送信されるデータの単位時間当たりの送信量を現在の値から減少させた値に決定する。また、送信量制御部１９は、ＲＴＴがあらかじめ定められた閾値未満であることを条件として、通信部１６から送信されるデータの単位時間当たりの送信量を現在の値から増加させた値に決定する。
【００４７】
以下、測定装置１０及び外部制御装置３０における表示制御について説明する。表示制御部１４は内部用表示制御部１４ａ及び外部用表示制御部１４ｂを有する。内部用表示制御部１４ａは、例えば図３に示すようなＧＵＩで構成される表示内容を表示部１３に表示させるようになっている。
【００４８】
外部用表示制御部１４ｂは、例えば図３に示すようなＧＵＩで構成される表示内容を外部制御装置３０の表示部３３に表示させるためのＧＵＩデータを生成する。このとき、外部用表示制御部１４ｂは、送信量制御部１９で決定された送信量に応じて、ＧＵＩデータの解像度や画質を調整するようになっている。
【００４９】
測定装置１０の表示部１３、内部用表示制御部１４ａ、及び入力部１５と、外部制御装置３０の表示部３３、表示制御部３４、及び入力部３５の構成はほぼ同様であるため、以下では外部制御装置３０の表示部３３、表示制御部３４、及び入力部３５の構成についてのみ詳細に説明する。
【００５０】
図３に示すように、表示制御部３４は、表示部３３に主表示領域４１ａを設定し、設定した主表示領域４１ａ内に、被試験対象１００からの被測定信号に対する信号解析部１２ｂの信号解析結果を測定結果として表示させる制御を行うようになっている。
【００５１】
また、表示制御部３４は、測定開始や停止を指定するための測定開始／停止ボタン４２ａなどの使用頻度の高い処理を実行するための操作ボタンを含む領域４２を、主表示領域４１ａ内に表示させる制御を行うようになっていてもよい。さらに、領域４２において、帯域幅推定部１８により推定されたネットワーク１１０の帯域幅が複数の段階で表示されてもよい。
【００５２】
また、表示制御部３４は、入力部３５の操作により押下可能な表示切替ボタン４３を表示部３３の所定領域に表示させるようになっており、表示切替ボタン４３の押下状態に応じて、各種表示内容の表示のオン／オフを切り替えることができるようになっている。
【００５３】
例えば図４から図３への変化に示すように、表示制御部３４は、表示切替ボタン４３が押下されてオンとなったことによって、主表示領域４１ａ内の一部に副表示領域４１ｂを設定し、副表示領域４１ｂに、通信規格表示窓４４、測定項目選択窓４５及び測定パラメータ設定領域４６を表示する。
【００５４】
なお、表示制御部３４は、表示切替ボタン４３が入力部３５により押下されてオンとなったことを条件として、主表示領域４１ａ内の副表示領域４１ｂ以外の領域４１ｃに信号解析部１２ｂの信号解析結果の少なくとも一部を表示させる制御を行うようになっている。
【００５５】
一方、図３から図４への変化に示すように、表示制御部３４は、表示切替ボタン４３が入力部３５により押下されてオフとなったことを条件として、主表示領域４１ａ内の副表示領域４１ｂの設定をオフとするとともに、副表示領域４１ｂに表示されていた表示内容の表示をオフとするようになっている。
【００５６】
さらに、表示制御部３４は、表示切替ボタン４３が入力部３５により押下されてオフとなったことを条件として、副表示領域４１ｂが設定されていた領域に、信号解析部１２ｂの信号解析結果の少なくとも一部を表示させる制御を行うようになっている。
【００５７】
通信規格表示窓４４は、複数の通信規格の中からあらかじめ設定された一つ以上の通信規格を表示するようになっている。なお、これらの被測定対象の通信規格は、あらかじめ設定されるのみでなく、任意の操作で選択できるようになっていてもよい。
【００５８】
本実施形態において被試験対象１００は、例えば１００Ｇイーサネット（登録商標）、４０Ｇイーサネット（登録商標）、ＳＴＭ（Synchronous Transport Module）−６４の各通信規格に従った通信を行うものである。
【００５９】
あるいは、被試験対象１００は、例えばＷ−ＣＤＭＡ（Wideband Code Division Multiple Access）、ＧＳＭ（登録商標）（Global System for Mobile Communications）、ＬＴＥ（Long Term Evolution）、ＣＤＭＡ２０００（Code Division Multiple Access 2000）、ＥＶ−ＤＯ（Evolution Data Only）、ＴＤ−ＳＣＤＭＡ（Time Division Synchronous Code Division Multiple Access）の各通信規格に従った通信を行うものであってもよい。
【００６０】
測定項目選択窓４５は、プルダウンメニュー機能により、表１に示す複数の測定項目（Ｆｒｅｑｕｅｎｃｙ、Ｓｋｅｗ、ＬＯＳなど）の中から一つの測定項目を選択可能に表示するようになっている。
【００６１】
測定項目「Ｆｒｅｑｕｅｎｃｙ」は、信号生成部１２ａにより出力される試験信号の周波数を測定対象の通信規格の基準周波数から所定周波数だけずらし、その周波数変化に対する被試験対象１００の耐性を測定するための項目である。
【００６２】
測定項目「Ｓｋｅｗ」は、信号生成部１２ａにより出力される試験信号のフレーム間の時間を変化させ、その時間変化に対する被試験対象１００の耐性を測定するための項目である。
【００６３】
測定項目「ＬＯＳ」は、信号生成部１２ａにより生成された試験信号の被試験対象１００への送信を所定時間停止させることにより、被試験対象１００が所定時間試験信号を受信していない状態を反映した応答を返すか否かを測定するようになっている。
【００６４】
測定パラメータ設定領域４６は、測定項目選択窓４５で選択された測定項目に対応した測定パラメータを設定するための領域である。この測定パラメータは、選択された測定項目に対応した試験信号を信号生成部１２ａに生成させるとともに、被試験対象１００からの出力信号に対して、選択された測定項目に対応した解析処理を信号解析部１２ｂに行わせるために必要なものである。
【００６５】
以下、図３に示すように、測定項目として「Ｆｒｅｑｕｅｎｃｙ」が選択された場合を例に挙げて副表示領域４１ｂの構成を説明する。
【００６６】
具体的には、測定パラメータ設定領域４６は、基準周波数表示窓４６ａ、及び周波数変化量設定窓４６ｂを有する。
【００６７】
基準周波数表示窓４６ａは、通信規格表示窓４４に表示された通信規格に対応した試験信号の基準周波数を表示するようになっている。なお、基準周波数表示窓４６ａは、入力部３５の操作により表示値を変更することも可能となっている。
【００６８】
周波数変化量設定窓４６ｂは、試験信号の周波数について、その基準周波数からのずれの大きさを上下キーにより設定可能に表示するようになっている。
【００６９】
さらに、測定パラメータ設定領域４６は、測定パラメータの数値入力を行うテンキー４６ｃと、測定パラメータの単位を変更する単位切替キー４６ｄと、直前の数値を削除する後退キー（ＢＳ（backspace）キー）４６ｅと、入力した数値を決定する実行キー（Enterキー）４６ｆと、測定パラメータの数値を削除するクリアキー４６ｇと、を有していてもよい。
【表１】
2016163050.tif 000003
【００７０】
以下、図５のフローチャートを参照しながら、本実施形態の利用帯域決定装置１を用いた利用帯域決定方法について説明する。なお、図５のフローチャートの処理が実行される前に、測定装置１０が起動しているものとする。
【００７１】
また、以下の処理では、外部制御装置３０が測定装置１０にデータを問い合わせる「問合せ型」の通信と、測定装置１０が外部制御装置３０にデータを通知する「通知型」の通信のいずれかが行われる。なお、初期状態では図５のフローチャートのステップＳ５以降で「通知型」の通信が行われるものとする。
【００７２】
まず、外部制御装置３０の制御部３７は、測定装置１０と協働して利用帯域決定処理を実行し、測定装置１０の通信部１６から送信されるデータの単位時間当たりの送信量を決定する（ステップＳ１）。この処理の詳細については、後述の図７のフローチャートに沿って説明する。
【００７３】
次に、外部制御装置３０の通信部３６は、ステップＳ１で決定された送信量で測定装置１０の通信部１６から送信されたＧＵＩデータを受信する（ステップＳ２）。ここでは、例えば図６に示すようなＧＵＩで構成される設定画面のデータが通信部３６に受信され、当該設定画面が表示部３３に表示される。
【００７４】
次に、ユーザの入力部３５の操作により測定試験が決定される。例えば図６に示すように、通信規格表示窓４４に表示された１００Ｇイーサネット（登録商標）に対して、測定項目選択窓４５において測定項目として「Ｆｒｅｑｕｅｎｃｙ」が選択される（ステップＳ３）。
【００７５】
次に、ユーザの入力部３５の操作により、周波数変化量設定窓４６ｂにおいて試験信号の周波数が測定パラメータとして設定される（ステップＳ４）。
【００７６】
次に、制御部３７は、ユーザの入力部３５の操作により、測定開始／停止ボタン４２ａがオンとなった場合に、被試験対象１００に対する測定試験を開始するための制御信号を測定装置１０の制御部１７に向けて送信する（ステップＳ５）。測定開始／停止ボタン４２ａがオフとなっている場合には、オンとなるまで待機する。
【００７７】
測定装置１０の制御部１７が上記の制御信号を受信すると、測定装置１０の信号生成部１２ａは、測定パラメータ設定領域４６で設定された測定パラメータに対応した試験信号を生成する。さらに、信号解析部１２ｂは、測定項目選択窓４５で設定された測定項目に対応した解析処理を行う。
【００７８】
次に、制御部３７は、測定装置１０による測定開始時において、再び測定装置１０と協働して利用帯域決定処理を実行し、測定装置１０の通信部１６から送信されるデータの単位時間当たりの送信量を決定する（ステップＳ６）。
【００７９】
次に、通信部３６は、ステップＳ６又は後述のステップＳ１０で決定された送信量で測定装置１０の通信部１６から送信されたＧＵＩデータ及び測定データを受信する（ステップＳ７）。ここでは、例えば図３，４に示すようなＧＵＩで構成される測定結果の表示画面のデータが通信部３６に受信され、当該表示画面が表示部３３に表示される。
【００８０】
次に、制御部３７は、ユーザの入力部３５の操作により、測定開始／停止ボタン４２ａがオフとなった場合に、被試験対象１００に対する測定試験を停止するための制御信号を測定装置１０の制御部１７に向けて送信する（ステップＳ８）。測定開始／停止ボタン４２ａがオンとなっている場合には、ステップＳ９に進む。
【００８１】
ステップＳ９において、制御部３７は、更新時間Δｔ待機した後に再びステップＳ７の処理を実行する。
【００８２】
なお、「問合せ型」の場合には、更新時間Δｔは、外部制御装置３０の制御部３７が測定装置１０の制御部１７にＧＵＩデータ及び測定データを問い合わせる時間間隔であり、後述するようにネットワーク１１０の負荷状況に応じて可変としてもよい。
【００８３】
一方、「通知型」の場合には、更新時間Δｔは、測定装置１０の制御部１７が外部制御装置３０の制御部３７にＧＵＩデータ及び測定データを通知する時間間隔であり、ユーザによってあらかじめ設定可能である。
【００８４】
さらに、制御部３７は、ステップＳ９とステップＳ７の間、すなわち測定装置１０が測定中の状態においても、測定装置１０と協働して利用帯域決定処理を実行し、測定装置１０の通信部１６から送信されるデータの単位時間当たりの送信量を決定する（ステップＳ１０）。このステップＳ１０の処理は、測定装置１０の測定中に所定間隔の定周期で繰り返される。
【００８５】
以下、図７のフローチャートを参照しながら、ステップＳ１の利用帯域決定処理について説明する。
【００８６】
まず、外部制御装置３０のテストパケット送信部３１は、ｐｉｎｇのパケットをテストパケットとして測定装置１０の通信部１６に送信する（ステップＳ１１）。
【００８７】
次に、往復遅延時間取得部３２は、テストパケット送信部３１が通信部１６にテストパケットを送信してから、該テストパケットに対応する通信部１６からの確認応答を通信部３６が受け取るまでの時間であるＲＴＴを取得する（ステップＳ１２）。
【００８８】
次に、通信部３６は、往復遅延時間取得部３２によって取得されたＲＴＴの情報を測定装置１０の通信部１６に送信する（ステップＳ１３）。
【００８９】
次に、測定装置１０の帯域幅推定部１８は、ＲＴＴがあらかじめ定められた閾値以上であるか否かを判断する（ステップＳ１４）。ＲＴＴがあらかじめ定められた閾値以上である場合には、ステップＳ１５に進む。一方、ＲＴＴがあらかじめ定められた閾値未満である場合には、ステップＳ１８に進む。
【００９０】
ステップＳ１５において、帯域幅推定部１８は、ネットワーク１１０の利用可能な帯域幅が狭くなっている旨の警告メッセージを外部制御装置３０の表示部３３に表示させる制御を表示制御部３４に行わせる。
【００９１】
次に、測定装置１０の送信量制御部１９は、通信部１６から送信されるデータの単位時間当たりの送信量を現在の値から所定量減少させた値に決定する（ステップＳ１６）。
【００９２】
次に、測定装置１０の外部用表示制御部１４ｂは、送信量制御部１９で減少された送信量に応じて解像度や画質を減少させたＧＵＩデータを生成し、当該ＧＵＩデータを通信部１６に出力する（ステップＳ１７）。
【００９３】
ステップＳ１８において、送信量制御部１９は、通信部１６から送信されるデータの単位時間当たりの送信量を現在の値から所定量増加させる。
【００９４】
次に、測定装置１０の外部用表示制御部１４ｂは、送信量制御部１９で増加された送信量に応じて解像度や画質を増加させたＧＵＩデータを生成し、当該ＧＵＩデータを通信部１６に出力する（ステップＳ１９）。
【００９５】
図８は利用帯域決定処理の他の例を示すフローチャートである。図８のフローチャートにおけるステップＳ２１〜Ｓ２５の処理は、図７のフローチャートにおけるステップＳ１１〜Ｓ１５の処理とそれぞれ同様であるので説明を省略する。
【００９６】
ステップＳ２６において、測定装置１０の送信量制御部１９は、図５のフローチャートのステップＳ２又はＳ７以降の処理を「問合せ型」で実行するように通信方式を設定する。既に通信方式が「問合せ型」に設定されていた場合には、送信量制御部１９は更新時間Δｔを現在の値から所定量増加又は減少させてもよい。
【００９７】
ステップＳ２６において、送信量制御部１９は、図５のフローチャートのステップＳ２又はＳ７以降の処理を「通知型」で実行するように通信方式を設定する。
【００９８】
以上の説明では、外部制御装置３０側にテストパケット送信部３１と往復遅延時間取得部３２があるとした。本発明はこれに限定されず、測定装置１０側にテストパケット送信部３１と往復遅延時間取得部３２があってもよい。その場合の測定装置１０の要部の構成を図９に示す。
【００９９】
図９に示す構成においては、利用帯域決定装置１は、テストパケット送信部３１及び往復遅延時間取得部３２を更に含む。テストパケット送信部３１は、ネットワーク１１０の利用可能な帯域幅を推定するために、ｐｉｎｇのパケットをテストパケットとして外部制御装置３０の通信部３６に送信するようになっている。
【０１００】
往復遅延時間取得部３２は、テストパケット送信部３１が外部制御装置３０の通信部３６にテストパケットを送信してから、該テストパケットに対応する通信部３６からの確認応答を測定装置１０の通信部１６が受け取るまでのＲＴＴを取得するようになっている。
【０１０１】
また、以上の説明では、測定装置１０側に利用帯域決定装置１が構成されているとしたが、本発明はこれに限定されず、外部制御装置３０側に利用帯域決定装置１が構成されていてもよい。
【０１０２】
また、以上の説明では、送信量や通信方式が自動的に制御されるものとしたが、本発明はこれに限定されない。例えば、ユーザがあらかじめネットワーク１１０の帯域幅を知っている場合などには、ユーザが手動で送信量や通信方式を設定できるようになっていてもよい。
【０１０３】
以上説明したように、本実施形態の利用帯域決定装置１は、リモート制御用の外部制御装置３０と測定装置１０の間のネットワーク環境（帯域幅）を測定し、得られた帯域幅に応じて測定装置１０から出力されるＧＵＩデータ及び測定データを含むデータの送信量を制御する。
【０１０４】
これにより、リモート制御に用いるネットワーク環境が、リモート制御経由での測定実行において必要十分であるか否かを自動でチェックすることができる。さらに、測定装置１０におけるリモートＧＵＩ制御中にネットワーク環境に応じてデータの送信量を制御するため、制御不能に陥ったり、測定試験が失敗したりするという恐れを解消することができる。
【０１０５】
また、本実施形態の利用帯域決定装置１においては、送信量制御部１９は、測定部１２による測定開始時及び測定中にＧＵＩデータ及び測定データを含むデータの送信量を制御する。
【０１０６】
これにより、ネットワーク環境が変化しても、外部制御装置３０による測定結果の表示やリモートＧＵＩ制御を途切れなく実行することができる。
【０１０７】
また、本実施形態の利用帯域決定装置１においては、外部制御装置３０は、ネットワーク１１０を介して測定装置１０の通信部１６とデータを送受信する通信部３６と、通信部３６によって受信されたＧＵＩデータ及び測定データを表示する表示部３３と、を有する。
【０１０８】
これにより、外部制御装置３０の表示部３３に、測定装置１０の表示部１３の表示内容とほぼ同様の内容を表示させることが可能である。
【０１０９】
また、本実施形態の利用帯域決定装置１においては、外部制御装置３０は、ネットワーク１１０の帯域幅を推定するためのテストパケットを測定装置１０の通信部１６に送信するテストパケット送信部３１と、テストパケット送信部３１が通信部１６にテストパケットを送信してから、該テストパケットに対応する通信部１６からの確認応答を外部制御装置３０の通信部３６が受け取るまでのＲＴＴを取得する往復遅延時間取得部３２と、を更に有する。そして、利用帯域決定装置１の帯域幅推定部１８は、ＲＴＴに基づいて帯域幅を推定する。これにより、ネットワーク環境に応じたリモートＧＵＩ制御を実行することができる。
【０１１０】
また、本実施形態の利用帯域決定装置１においては、テストパケット送信部３１及び往復遅延時間取得部３２を外部制御装置３０側ではなく、測定装置１０側に備えていてもよい。
【０１１１】
また、本実施形態の利用帯域決定装置１においては、外部制御装置３０の表示部３３は、ＲＴＴがあらかじめ定められた閾値以上であることを条件として、警告メッセージを表示する。これにより、ネットワーク環境が良好でない旨をユーザに通知することができる。
【符号の説明】
【０１１２】
１  利用帯域決定装置
１０  測定装置
１１  入出力部
１２  測定部
１２ａ  信号生成部
１２ｂ  信号解析部
１３  表示部（第１表示部）
１４，３４  表示制御部
１４ａ  内部用表示制御部
１４ｂ  外部用表示制御部
１５，３５  入力部
１６  通信部（第１通信部）
１７，３７  制御部
１８  帯域幅推定部
１９  送信量制御部
３０  外部制御装置
３１  テストパケット送信部
３２  往復遅延時間取得部
３３  表示部（第２表示部）
３６  通信部（第２通信部）
１００  被試験対象
１１０  ネットワーク
【図１】
2016163050.tif 000004
【図２】
2016163050.tif 000005
【図３】
2016163050.tif 000006
【図４】
2016163050.tif 000007
【図５】
2016163050.tif 000008
【図６】
2016163050.tif 000009
【図７】
2016163050.tif 000010
【図８】
2016163050.tif 000011
【図９】
2016163050.tif 000012